(57)【要約】【課題】物品を管理するためにその物品に装着されたＩＣタグ本体に、電子データの書き込みや読み出し機能だけでなく、物理的若しくは化学的に物質を吸着可能な物質吸着機能を付加して、その物品自体若しくはその物品周囲の環境からのガス、発塵などの異物をＩＣタグによって吸着して、その物品に対する異物からの悪影響を抑制する。【解決手段】基材層１に送受信アンテナ部３と該送受信アンテナ部３に接続したＩＣチップ４とを備えるＩＣタグＩにおいて、ＩＣタグＩ本体又は基材層１の片面表層若しくは両面表層、又は層内に、分子レベルにて物質を吸着する分子吸着性物質を備え、該分子吸着性物質により分子吸着機能を備える。【選択図】図１
2007272265.tif 000002
【特許請求の範囲】
【請求項１】
基材層１に送受信アンテナ部３と該送受信アンテナ部３に接続したＩＣチップ４とを備えるＩＣタグにおいて、ＩＣタグの片面表層若しくは両面表層又は層内に、分子レベルにて物質を吸着する分子吸着性物質を備え、該分子吸着性物質により分子吸着機能を備えることを特徴とする分子吸着機能を有するＩＣタグ。
【請求項２】
前記ＩＣタグの片面表層若しくは両面表層又は内層に、分子レベルにて物質を吸着する分子吸着性物質を製膜することにより分子吸着機能を備えることを特徴とする請求項１記載の分子吸着機能を有するＩＣタグ。
【請求項３】
基材層１に送受信アンテナ部３と該送受信アンテナ部３に接続したＩＣチップ４とを備えるＩＣタグにおいて、前記基材層１の片面表層若しくは両面表層又は層内に、分子レベルにて物質を吸着する分子吸着性物質を備え、該分子吸着性物質により分子吸着機能を備えることを特徴とする分子吸着機能を有するＩＣタグ。
【請求項４】
前記基材層１の片面表層若しくは両面表層又は内層に、分子レベルにて物質を吸着する分子吸着性物質を製膜することにより分子吸着機能を備えることを特徴とする請求項３記載の分子吸着機能を有するＩＣタグ。
【請求項５】
前記分子吸着性物質が、活性炭、シリカゲル、アルミナ、ゼオライトであることを特徴とする請求項１乃至４のいずれか１項記載の分子吸着機能を有するＩＣタグ。
【発明の詳細な説明】
【技術分野】
【０００１】
本発明は、菓子や食料品、電気製品、書物、衣料品など各種商品をはじめとする製品や物品に添付して、その物品に関するデータを電波により書き込んだり読み出すための接触式又は非接触式のＩＣモジュールを搭載した分子吸着機能を有するＩＣタグに関する。
【背景技術】
【０００２】
一般に、製造・販売者側が、顧客や消費者に対して、各種商品に関する商品名や商品情報、あるいは商品製造情報や販売情報や製造・販売者情報等の情報、あるいは、キャンペーン時の景品等の当たりはずれ情報、キャンペーン応募情報等の情報を提供する場合、それらの商品情報等を掲載した各種カタログや情報提供用サービスシートや情報カード等の発行やダイレクトメール等の配信が行われる。
【０００３】
また、これら情報提供用のサービスシートやカードとしては、情報データを電子データとして記録し、専用の読取手段によって読み出しできる磁気カードやＩＣカード、あるいはＩＣチップとアンテナなどからなるＩＣモジュール（又はＩＣチップ、又はＩＣチップとアンテナからなる１単位のＩＣモジュールを小片支持シートに搭載したＩＣモジュール）を搭載したＩＣタグインレットを装着したＩＣタグ（ＩＣタグシート、ＲＦＩＤ（Ｒａｄｉｏ−Ｆｒｅｑｕｅｎｃｙ−Ｉｄｅｎｔｉｆｉｃａｔｉｏｎ）タグ）などを発行する場合もある。また、菓子や食料品、電気製品、書物、衣料品など各種商品に販売する場合に直接、これらのＩＣタグを商品に添付して販売する場合もある。
【０００４】
上記ＩＣモジュールを装着したＩＣダグは、例えば、商品名や商品情報、商品製造・情報、製造・販売者情報等を商品情報提供サービス用に、また、キャンペーン時の景品等の当たりはずれ情報、キャンペーン応募情報等の情報提供サービス用に、また、菓子や食料品、電気製品、書物、衣料品など各種商品の販売用として、ＩＣチップのメモリに、製造・販売者側によって、それら情報を書き込み記録し、顧客や消費者に対して発行して利用される。
【０００５】
これらＩＣタグの技術としては、例えば、特開２００１−３２２７１８公報があり、また、これらＩＣタグを対象物に取り付け装着する技術としては、例えば、特開２００１−１９５５５６号公報、特開２００２−３４２７２８号公報、特開２００３−１１９１４号公報、特開２００４−２０２８９４号公報などがある。
【０００６】
上記のようなＩＣタグ（ＩＣモジュール、アンテナ付きＩＣチップ）へのデータの書き込みや読み出しには、固有の周波数の電波が使用され、商品情報等のデータは、所定の周波数の電波を用いて書込手段（ライター）によってＩＣタグに書き込むことができ、読出手段（リーダー）によってそのＩＣタグから読み出すことができる。
【０００７】
以下に、従来公知の特許文献を記載する。
【特許文献１】特開２００１−３２２７１８公報
【特許文献２】特開２００１−１９５５５６号公報
【特許文献３】特開２００２−３４２７２８号公報
【特許文献４】特開２００３−１１９１４号公報
【特許文献５】特開２００４−２０２８９４号公報
【発明の開示】
【発明が解決しようとする課題】
【０００８】
ところで、上記のようなＩＣタグは、データの書き込み、読み出しを行う他に持ち合わせている機能としては、耐熱性、耐金属性（又は耐擦過損性）、耐水性等の機能を備えている。また、地球環境に対する優しさの観点から、リサイクル性やリユース性の観点からの機能が提案されている。
【０００９】
また、従来技術におけるＩＣタグの機能としては、ゴミを出さないという観点の各種機能を持ち合わせたものは存在するものの、物理的若しくは化学的に物質を吸着する機能を有するＩＣタグ自体は存在していない。
【００１０】
本発明の課題は、物品を管理するためにその物品に装着されたＩＣタグ本体に、電子データの書き込みや読み出し機能だけでなく、物理的若しくは化学的に物質を吸着可能な物質吸着機能を付加することにあり、該ＩＣタグにより管理される物品が異物を嫌う製品や商品などの物品の場合において、その物品自体若しくはその物品周囲の環境からのガス、発塵などの異物をＩＣタグによって吸着して、その物品に対する異物からの悪影響を抑制することを目的とするものである。
【課題を解決するための手段】
【００１１】
本発明の請求項１に係る発明は、基材層１に送受信アンテナ部３と該送受信アンテナ部３に接続したＩＣチップ４とを備えるＩＣタグにおいて、ＩＣタグの片面表層若しくは両面表層又は層内に、分子レベルにて物質を吸着する分子吸着性物質を備え、該分子吸着性物質により、分子吸着機能を備えることを特徴とする分子吸着機能を有するＩＣタグである。
【００１２】
本発明の請求項２に係る発明は、上記請求項１に係る分子吸着機能を有するＩＣタグにおいて、前記ＩＣタグの片面表層若しくは両面表層又は内層に、分子レベルにて物質を吸着する分子吸着性物質を製膜することにより分子吸着機能を備えることを特徴とする分子吸着機能を有するＩＣタグである。
【００１３】
本発明の請求項３に係る発明は、基材層１に送受信アンテナ部３と該送受信アンテナ部３に接続したＩＣチップ４とを備えるＩＣタグにおいて、前記基材層１の片面表層若しくは両面表層又は層内に、分子レベルにて物質を吸着する分子吸着性物質を備え、該分子吸着性物質により分子吸着機能を備えることを特徴とする分子吸着機能を有するＩＣタグである。
【００１４】
本発明の請求項４に係る発明は、上記請求項３に係る分子吸着機能を有するＩＣタグにおいて、前記基材層１の片面表層若しくは両面表層又は内層に、分子レベルにて物質を吸着する分子吸着性物質を製膜することにより分子吸着機能を備えることを特徴とする分子吸着機能を有するＩＣタグである。
【００１５】
本発明の請求項５に係る発明は、上記請求項１乃至４のいずれか１項に係る分子吸着機能を有するＩＣタグにおいて、前記分子吸着性物質が、活性炭、シリカゲル、アルミナ、ゼオライトであることを特徴とする分子吸着機能を有するＩＣタグである。
【発明の効果】
【００１６】
本発明の分子吸着機能を有するＩＣタグは、接触式（端子接触式の書き込み、読み出し
）又は非接触式（端子非接触電波送受信式の書き込み、読み出し）のＩＣタグにおいて、そのＩＣタグの基材層に、分子吸着機能を付加したことにより、ＩＣタグ書込読出手段との間で送受信アンテナを介して、管理情報（電子データ）を電波にて送受信して、書き込み、読み出しできるとともに、該ＩＣタグにより管理される物品が異物を嫌う製品や商品などの物品の場合において、その物品自体、若しくはその物品周囲の環境からのガス、発塵などの異物を、そのＩＣタグによって吸着して、その物品に対する異物からの悪影響を抑制することができるものである。
【００１７】
そのため、これまではゴミなどの異物が付着し易い等の理由によって、ＩＣタグの導入が困難であった製品や商品等の物品に対して、その導入が実施し易くなる。また、ＲＦＩＤ（Ｒａｄｉｏ−Ｆｒｅｑｕｅｎｃｙ−Ｉｄｅｎｔｉｆｉｃａｔｉｏｎ）タグ）を用いた自動認識による物品の製造、在庫、流通等における情報の管理が行い易くなる。
【００１８】
また、ＩＣタグの表面に用いる分子吸着材料を特定したり、変更したりすることによって、特定の物質を選択的に吸着することが可能となるため、物品自体、若しくはその物品周囲の環境における大気中の不要な成分のみを選択的に吸着して、その物品周囲から不要な成分のみを除去することが可能となるとともに、様々な製品に対して適用が可能となるものである。
【発明を実施するための最良の形態】
【００１９】
本発明の分子吸着機能を有するＩＣタグを、図１に示すＭ−Ｍ側断面図に基づいて詳細に説明すれば、ＩＣタグＩは、基材層１に、送受信アンテナ部３と、該送受信アンテナ部３に接続したＩＣチップ４とを備えている。なお、基材層１に使用する材料としては、例えば、ポリエチレンテレフタレート、シリコーン、ポリイミド、ポリ塩化ビニル、四フッ化エチレン樹脂、ガラスエポキシ樹脂、あるいはガラス、シリコン等の非誘電物質であって、ＩＣチップを実装できる程度の硬度、表面平坦性を有するものが挙げられる。
【００２０】
本発明の分子吸着機能を有するＩＣタグＩは、図１に示すように、必要に応じて、基材層１と送受信アンテナ部３との間に接着剤層２を備え、また、ＩＣタグＩの表面、又は裏面、又は表裏両面には、合成樹脂フィルムによる保護層５、６を設けてもよい。
【００２１】
上記の本発明の分子吸着機能を有するＩＣタグは、送受信アンテナ部３と該送受信アンテナ部３に接続したＩＣチップ４とを除くＩＣタグの構造体中に、分子レベルにて物質を吸着する分子吸着性物質を、配合物として又は配合層として備えていて、該分子吸着性物質により分子吸着機能を備えているものである。
【００２２】
例えば、該基材層１の片面表層、若しくは両面表層、又は該基材層１の層内には、分子レベルにて物質を吸着する分子吸着性物質を、配合物として又は配合層として備えていて、該分子吸着性物質により分子吸着機能を備えているものである。
【００２３】
また、例えば、前記基材層１の片面表層若しくは両面表層、又は内層に、分子レベルにて物質を吸着する分子吸着性物質（又は分子吸着性物質を含有する物質）を製膜することにより分子レベルにて物質を吸着する分子吸着機能を備えるようにしてもよい。
【００２４】
分子レベルにて物質を吸着する上記分子吸着性物質としては、例えば、活性炭、シリカゲル、アルミナ、ゼオライトなどが挙げられる。これらの吸着性物質を、結着樹脂である合成樹脂バインダー中に混合してコーター等によりコーティング方式にて製膜するか、又は電着塗装方式などにて電着製膜するか、又は分子インプリンティング方式にて製膜することができる。
【００２５】
図２（ａ）は、図１に示した本発明の分子吸着機能を有するＩＣタグＩの一例を説明する模式的平面図であり、ＩＣタグＩの基材層１には、物質Ａ（吸着させたい物質、ターゲット物質）を分子の状態で吸着可能な分子吸着性物質Ａａが、その片面表層若しくは両面表層、又は該基材層１の層内に、分子未吸着の状態（白星）で存在していることを示している。
【００２６】
図２（ａ）に示すＩＣタグＩの基材層１にある分子未吸着の状態（白星）の前記分子吸着性物質Ａａは、その全て又は一部が、やがて図２（ｂ）に示すように、ＩＣタグＩの周囲に異物として存在する物質Ａを分子の状態で吸着して分子吸着の状態の黒星Ａになる。なお図２（ｂ）中、Ａ、Ｂ、Ｃ、Ｄは、ＩＣタグＩの周囲に異物として存在するそれぞれ物質を示し、分子吸着性物質Ａａを有するＩＣタグＩでは、異物として存在する物質Ｂ、Ｃ、Ｄは吸着されないものである。
【００２７】
図３（ａ）は、図１に示した本発明の分子吸着機能を有するＩＣタグＩの他の例を説明する模式的平面図であり、ＩＣタグＩの基材層１には、物質Ａ（吸着させたい物質、ターゲット物質）を分子の状態で吸着可能な分子吸着性物質Ａａと、物質Ｃ（吸着させたい物質、ターゲット物質）を分子の状態で吸着可能な分子吸着性物質Ｃａとが、その片面表層若しくは両面表層、又は該基材層１の層内に、それぞれ分子未吸着の状態（白星、白三角）で存在していることを示している。
【００２８】
図３（ａ）に示すＩＣタグＩの基材層１にある分子未吸着の状態（白星、白三角）の前記それぞれ分子吸着性物質Ａａ、Ｃａは、その全て又は一部が、やがて図３（ｂ）に示すように、ＩＣタグＩの周囲に異物として存在するそれぞれ物質Ａ、Ｃを分子の状態で吸着して、分子吸着の状態の黒星Ａ、分子吸着の状態の黒三角になる。
【００２９】
図３（ｂ）中、それぞれＡ、Ｂ、Ｃ、Ｄは、ＩＣタグＩの周囲に異物として存在するそれぞれ物質を示し、分子吸着性物質Ａａ、とＣａとを有するＩＣタグＩでは、異物として存在する物質Ｂ、Ｄは吸着されないものである。
【００３０】
ＩＣタグＩの周囲に異物として存在する物質Ｂを吸着させたい場合には、物質Ｂを吸着させる分子吸着性物質Ｂａを基材層１に存在させ、また、ＩＣタグＩの周囲に異物として存在する物質Ｄを吸着させたい場合には、物質Ｄを吸着させる分子吸着性物質Ｄａを基材層１に存在させる。
【実施例】
【００３１】
以下に、本発明の分子吸着機能を有するＩＣタグＩの具体的実施例を説明する。
【００３２】
＜実施例１＞
（ゼオライト粉末による分子吸着膜の作成）
分子吸着性物質としてゼオライト粉末を有機溶媒または水に分散させ、その有機溶媒中に、該有機溶媒に対して耐溶剤性のある製膜用の基板を浸漬した後、該有機溶媒に１０〜１０００Ｖの電圧を印加しながら、該ゼオライト粉末を泳動させて、該基板の表面にゼオライトの堆積層を電着形成する。
【００３３】
次に、水にアルカリ、アルミナ、シリカを加えて２５℃〜２２０℃に調整した原料溶液を作成した後、該原料溶液中にゼオライトの堆積層が形成された前記基板を浸漬して、該ゼオライトの堆積層を水熱緻密固化して製膜する。その製膜されたゼオライト膜を基板から剥離することにより、ゼオライト自立膜（ゼオライト膜）としての分子吸着膜を作成する。
【００３４】
そのゼオライト膜を、本発明のＩＣタグ用の基材層１として、該基材層１の片面にアンテナ作成用の金属薄膜（例えばアルミニウム層）を積層形成し、該金属薄膜をフォトエッチング法にてアンテナ形状パターンにエッチング加工するか、またはスクリーン印刷法等で導電性インキを用いてアンテナ形状パターンに印刷加工して、基材層１の片面にアンテナ３をパターン形成する。その後、そのアンテナ３にＩＣチップ４を接続搭載して、本発明の分子吸着機能を有するＩＣタグ（図１、図２、図３参照）を得る。
【００３５】
＜実施例２＞
（分子インプリンティング方式による分子吸着膜の作成）
吸着したい分子（以下ターゲット分子）と相互作用する部位と支持体に固定するためのビニル基とを合わせ持った機能性物質にターゲット分子を混入させて、機能性物質とターゲット分子との自己集合体を形成する。
【００３６】
次に、自己集合体を含む溶液に支持体原料モノマーを加え、重合させて、支持体を合成する。そして、合成した前記支持体中に残ったターゲット分子を、各種分子間相互作用を用いて除去し、ターゲット分子の除去された分子インプリンティング膜としての支持体を形成する。
【００３７】
この分子インプリンティング膜としての支持体を、本発明のＩＣタグ用の基材層１として、該基材層１の片面にアンテナ作成用の金属薄膜（例えばアルミニウム層）を積層形成し、該金属薄膜をフォトエッチング法にてアンテナ形状パターンにエッチング加工するか、またはスクリーン印刷法等で導電性インキを用いてアンテナ形状パターンに印刷加工して、基材層１の片面にアンテナ３をパターン形成する。その後、そのアンテナ３にＩＣチップ４を接続搭載して、本発明の分子吸着機能を有するＩＣタグ（図１、図２、図３参照）を得る。
【図面の簡単な説明】
【００３８】
【図１】本発明の分子吸着機能を有するＩＣタグの一例を説明するＭ−Ｍ側断面図。
【図２】（ａ）は本発明の分子吸着機能を有するＩＣタグの一例を説明する模式的平面図、（ｂ）はそのＩＣタグの分子吸着後の状態を説明する模式的平面図。
【図３】（ａ）は本発明の分子吸着機能を有するＩＣタグの他の例を説明する模式的平面図、（ｂ）はそのＩＣタグの分子吸着後の状態を説明する模式的平面図。
【符号の説明】
【００３９】
Ｉ…ＩＣタグ
１…基材層
２…接着材層
３…アンテナ
４…ＩＣチップ
５…保護層
６…保護層
Ａａ、Ｂａ、Ｃａ…吸着性物質
【図１】
2007272265.tif 000003
【図２】
2007272265.tif 000004
【図３】
2007272265.tif 000005